(57)【要約】      （修正有）【課題】マグネット付きマーカーを台座に吸着させ、帽子の庇に付けるハットクリップにおいて、激しい動きがあっても落下することがないハットクリップを提供する。【解決手段】視界の外でマーカーを台座の正規位置に誘導する為と、傾斜する台座からマーカーの落下を防ぐ為に、台座４の傾斜下方部のクリップ３側に１対のガイドピン７−ａ、７−ｂを設ける。マーカーを台座上部に乗せ、指先でマーカーをスライドさせて１本のガイドピンに当て、そのまま指でスライドさせるとマーカーは回転して他のガイドに当たり静止する。これで実際に見ることなくマーカーを台座の正規位置へ誘導することが出来る。【選択図】図３
0003206077.tif 000002
【実用新案登録請求の範囲】
【請求項１】
ゴルフのグリーン上でボール位置を識別するマグネット付きマーカーを携帯するハットクリップの台座において、前記マーカーを前記台座の正しい位置で吸着する様にガイドピンを設けた事を特徴とするハットクリップ。
【請求項２】
マグネット付きマーカーの吸着位置を正しく誘導するガイドピンは、台座から少なくとも２か所に立ち上げた事を特徴とする、請求項１記載のハットクリップ。
【請求項３】
マグネット付きマーカーが吸着する台座の裏側からフック機構で固定するプラスチック材のガイドピンが、前記マーカーを正規の場所へ誘導することを特徴とした、請求項１記載のハットクリップ。
【請求項４】
プラスチック材のガイドピンは台座からの着脱が容易で、ハットクリップの取付け場所に応じて、台座に対するガイドピン位置を自由に変えられることを特徴とした、請求項３記載のハットクリップ。
【請求項５】
ハットクリップの台座に固定するプラスチック材は帽子、グローブや衣服に接する面に凹凸を設け、取り付け場所からの落下を防ぐことを特徴とした、請求項３記載のハットクリップ。
【考案の詳細な説明】
【技術分野】
【０００１】        本考案はゴルフ用品のマグネット付きボールマーカーを携帯するハットクリップの台座にガイドピンを設け、マーカーを正しい位置で吸着させる手段を提供するものである。
【背景技術】
【０００２】        近年のボールマーカーはカラフルにデザインされた物が多く、宝石をちりばめた高額商品までが世の中に提供されている。その多くが実登３１０２０９０や、特開２０１３−１８３７７４の様に帽子の庇にクリップで台座を固定し、マグネット付きマーカーを吸着させている。
他方、特表２０１５−５１６８５７が提案する様に、ゴルフグローブに専用の台座を設ける方法もある。
【考案の開示】
【考案が解決しようとする課題】
【０００３】        図１は広く使われているボールマーカーの携帯方法を示すもので、帽子１の庇２にクリップ３で固定した台座４に、マグネット５を底面に付けたマーカー６を吸着させるハットクリップ（台座４とクリップ３が一体）が一般的である。
図２に示すようにスポーツ用帽子は庇が大きく且つ湾曲したデザインが使われており、ハットクリップは傾いた状態で帽子１についている。マーカー６に固定されたマグネット５は小さく、このマグネットが台座４から外れると図中矢印方向へ簡単に落下してしまう。しかも落下は視界の外で起こるためプレーヤーは気付かず、グリーン上でマーカー６を使おうとしたときに、無くなっていることに気付くと言った課題があった。
【課題を解決するための手段】
【０００４】        本考案は実際に見ることなく、指先の感覚と動きでマーカーを常に台座中央に誘導するガイドピン７−ａ、７−ｂ  を設け、激しい動きがあってもマーカーの落下を防止する手段を提供するものである。
この１対のガイドピンは台座の左右対称に配置し、その間隔は指先が安定的に通せるようにしてある。
【考案の効果】
【０００５】        本考案は台座の上でマーカーを下方向に滑らすと、自動的に台座中央へ誘導されてマグネットの吸着力を最大に保ち、しかも落下防止のガイドピンにより何時の間にか無くなっている言った事態は起きにくい。
他方、マーカーを台座から取り外すときは、ガイドピン間の隙間に指を下から上へ滑らすようにマーカーを押しあげ、マーカーの一部が台座から外れた所で、指先にひっかけて台座から引き離す。
近年のマーカーは個性を表現するものとして、貴金属をあしらった高額
なものが出て来ているので、紛失防止には最適なハットクリップである。
【考案を実施するための最良の形態】
【０００６】        図３は本考案を示すもので、台座のクリップ寄りに１対のガイドピン７−ａ、７−ｂ  を立ち上げている。このガイドピンは台座中心からおおよそθ＝１２０度前後の間隔で対称に配置され、ガイドピン間の隙間Ｗを大よそ１５〜２０ｍｍ確保して大人の指先を通すことができる。
図４は本考案の応用例を示すもので、ハットクリップ３の裏側から付けるマーカーガイド８は１対のガイドピン９−ａ、ｂ  を保有する。この部品８はプラスチック材で成形したもので、ピン９に設けたフック１０で台座４に固定する。
【実施例１】
【０００７】        図２で示すように一般のスポーツ用帽子の庇はカーブしていて、ハットクリップの取付く姿勢はクリップ側を下に傾いている。この傾きがマーカー６をプレー中に落としやすくしている。
本実施例では比較的多く使われているハットクリップの図３について詳述する。マーカーを吸着する台座４のクリップ３側に１対のガイドピン７−ａ，７−ｂを立ち上げた。ガイドピン間の隙間Ｗはおおむね１５〜２０ｍｍを確保して、親指もしくは人差し指が通るようにする。
マーカーを台座から外す時は、人差し指で１対のガイドピン７の中央からマーカー６の側面を押し上げ、マーカーが台座４から飛び出た先を人差し指で引っ掛ける。
他方マーカーを台座に吸着させる場合は、一旦台座上部にマーカーを吸着させた後、人差し指で押しながら下方にスライドさせ、マーカーを１つのガイドピン７に押し付ける。そのままスライドさせるとマーカーは回転して他方のガイドピン７に押し当てられ、自動的に台座中央に固定する事でマグネットの吸着力は最大に働く。
【実施例２】
【０００８】        マーカー６を吸着させる台座４に直接ガイドピン７を取付けるのではなく、台座裏側からプラスチック成形したマーカーガイド８を取付ける方法である。
マーカーガイドの部品には少なくとも３個以上のピン９−ａｂｃ．．．を有し、その内２個の長さを大きくしてテーパーを持ったフック構造１０にしている。
また台座４に面するマーカーガイド８の裏面には凸凹１１を付けて、帽子の庇やグローブ、衣服等からハットクリップが落ちない様にしている。
この長いピン９−ａ、９−ｂをクリップ３とは対称位置に配置させると、図５の様にグローブ１２のベルト１３に台座４をクリップ３で固定し、手元を装飾品のマーカーで飾ることが出来る。グローブ１２にマーカー６を付けると、スイング中に大きな遠心力が発生するが、ガイドピン９−ａ、９−ｂがマーカーの飛び出しを防いでくれる。
【図面の簡単な説明】
【０００９】
【図１】帽子の庇に付ける一般的なハットクリップ。この台座にボールマーカーを吸着させる。
【図２】ハットクリップは帽子の庇に傾いて付けられている。この傾斜がマーカーの紛失を助長している。
【図３】本考案の代表的なハットクリップを示す。マーカーを正規位置に誘導するガイドピンを設けた。
【図４】本考案の応用例を示すマーカーガイド。これはプラスチック成形部品でガイドピンを有し、ハットクリップの台座裏側から固定する。
【図５】グローブのベルトに台座を付けてマーカーをハンドキャリーする方法。ガイドピンの取り付け場所を帽子とは反対位置にすることで、スイング中のマーカーに発生する遠心力をガイドピンが支える。
【符号の説明】
【００１０】１．  帽子
２．  庇
３．  ハットクリップのクリップ部分
４．  ハットクリップの台座
５．  マグネット
６．  ボールマーカー
７．  マーカーを誘導するガイドピン
８．  プラスチック成形のマーカーガイド
９．  マーカーガイドのガイドピン
９−ａ、９−ｂ  フック構造を持ったガイドピン
１０．ガイドピンのフック部
１１．マーカーガイドの裏面に設けた凸凹
１２．ゴルフ用グローブ
１３．グローブを手に密着させるベルト
θ    台座中心に対しガイドピンの開き角度
Ｗ    ガイドピンの間隔（指先が通る隙間）
【図１】
0003206077.tif 000003
【図２】
0003206077.tif 000004
【図３】
0003206077.tif 000005
【図４】
0003206077.tif 000006
【図５】
0003206077.tif 000007